(57)【特許請求の範囲】
【請求項１】
室外機の周囲の外気温及び気象情報のうち少なくとも一方の情報である外気情報を取得する取得部と、
送風機のファンの軸方向の応力を検出する応力検出部と、
冷凍サイクルシステムの運転の開始時に、前記外気情報が予め設定された外気条件を満たし、かつ前記応力が予め設定された応力条件を満たす場合に、前記ファンの回転数を、前記運転の設定値に応じて定まる第１の回転数よりも少ない第２の回転数に設定する制御部と
を有する冷凍サイクルシステム。
【請求項２】
前記ファンの前記回転数が前記第２の回転数に設定されているときに、前記ファンの異常を検出する異常検出部をさらに有する請求項１に記載の冷凍サイクルシステム。
【請求項３】
前記制御部は、前記ファンの異常を検出した場合に、前記ファンの回転を停止させる請求項２に記載の冷凍サイクルシステム。
【請求項４】
前記制御部は、前記ファンの異常を検出した場合に、熱交換器のデフロスト処理を行う請求項２又は３に記載の冷凍サイクルシステム。
【請求項５】
前記制御部は、前記外気情報に応じて、前記冷凍サイクルシステムの停止中の、モータの電力によらない前記ファンの回転を停止させる電磁ブレーキを作動させる請求項１乃至４の何れか１項に記載の冷凍サイクルシステム。
【請求項６】
前記室外機を複数有し、
前記室外機それぞれの前記ファンの異常を検出する異常検出部をさらに有し、
前記制御部は、複数の前記室外機のうち一の前記室外機において、異常が検出された場合に、異常が検出された前記室外機の前記ファンの回転を停止する請求項１に記載の冷凍サイクルシステム。
【発明の詳細な説明】
【技術分野】
【０００１】
本発明は、冷凍サイクルシステムに関する。
【背景技術】
【０００２】
空気調和装置の室外機においては、冬季に氷柱が落下したり、夏季に台風などにより異物が吹き飛ばされたりといったことにより、ファンに損傷が発生することがある。また、ファンが破損していなくとも、冬季は、雪や氷塊がファンに付着し、ファンの重心が回転軸からずれたアンバランスの状態になることがある。このような状態で、回転を継続すると、大きな振動が発生し、最悪の場合、熱交換器や配管の破損に至る場合もある。このような状態になると、空気調和装置の継続運転が不可能となり、復旧にも多大な時間と費用を要することになる。特許文献１には、送風機の振動を加速度センサによって検出することで、送風機の異常を診断する技術が開示されている。
【先行技術文献】
【特許文献】
【０００３】
【特許文献１】特開２０１４−２１１１４３号公報
【発明の概要】
【発明が解決しようとする課題】
【０００４】
しかしながら、従来技術においては、空気調和装置の運転を開始しないと異常を検知できないため、異常が生じた状態で運転を開始し、被害を大きくする可能性があるという問題があった。
【０００５】
本発明は、このような問題点に鑑みなされたもので、異常が生じた場合に、被害の拡大を防止することを目的とする。
【課題を解決するための手段】
【０００６】
本発明は、室外機の周囲の外気温及び気象情報のうち少なくとも一方の情報である外気情報を取得する取得部と、送風機のファンの軸方向の応力を検出する応力検出部と、冷凍サイクルシステムの運転の開始時に、前記外気情報が予め設定された外気条件を満たし、かつ前記応力が予め設定された応力条件を満たす場合に、前記ファンの回転数を、前記運転の設定値に応じて定まる第１の回転数よりも少ない第２の回転数に設定する制御部とを有する。
【発明の効果】
【０００８】
本発明によれば、異常が生じた場合に、被害の拡大を防止することができる。これにより、より信頼性の高い冷凍サイクルシステムを提供することができる。
【図面の簡単な説明】
【０００９】
【図１】室外機の概略断面図である。
【図２】送風機の概略図である。
【図３】制御品箱の主要構成を示す図である。
【図４】ファン制御処理を示すフローチャートである。
【図５】低回転制御の説明図である。
【図６】第２の実施形態に係る空気調和システムの構成図である。
【発明を実施するための形態】
【００１０】
図１は、空気調和システム１の室外機１０の概略断面図である。図２は、送風機１３０をファン１３１の軸方向と垂直な方向から見た概略図である。本実施形態の空気調和システム１は、室外機１０と、不図示の室内機とが冷媒配管により接続されて冷凍サイクルを構成し、空気調和を行う。本実施形態の空気調和システム１は、冷凍サイクルシステムの一例である。図１に示すように、本実施形態の室外機１０は、上吹き出しタイプで、屋外の基礎２０に設置されている。室外機１０の筐体１１０には、空冷式の熱交換器１２０と、この熱交換器１２０に通風するための送風機１３０が備えられている。送風機１３０は、ファン（プロペラファン）１３１、シュラウド１３２、モータ（ファンモータ）１３３及び梁材１３４を主に有している。シュラウド１３２は、ファン１３１の外周に設けられ、ベルマウスやダクトとして機能する。モータ１３３は、ファン１３１を駆動する。梁材１３４は、モータ１３３を支持する。
【００１１】
図１及び図２に示すように、梁材１３４の端部１３４ａには、磁性部材２０１が設けられている。磁性部材２０１は、磁性体材料で形成された部材である。また、磁性部材２０１の垂直方向下側には、磁性部材２０１の磁場を検出する磁場センサ２０２が設けられている。磁場センサ２０２は、磁性部材２０１と物理的に接触しない位置に配置されている。ファン１３１に雪や氷が付着した場合や、ファン１３１が回転した場合には、これらの応力により、梁材１３４が垂直下方向に撓む。このため、磁性部材２０１と磁場センサ２０２の間の距離が変化する。磁場センサ２０２は、このような磁性部材２０１の変位を検出する。本実施形態に係る磁場センサ２０２は、ホール素子で形成されており、梁材１３４が撓むことに伴い磁性部材２０１との距離が変化することに応じた電圧を検出する。磁場センサ２０２は、電圧から梁材１３４の撓み、すなわち梁材１３４に加わる応力を求めることができる。
【００１２】
筐体１１０の側面には熱交換器１２０が設けられている。熱交換器１２０の近傍には、外気温センサ２１０が設けられている。外気温センサ２１０は、室外機１０の周囲の気温（外気温）を検出する。
【００１３】
また、図１に示すように、筐体１１０の内部には、圧縮機１４０、アキュムレータ１５０、制御品箱１６０等が設けられている。制御品箱１６０には、外気温センサ２１０や、空気調和システム１を構成している冷凍サイクルの圧力センサなどの各種センサからの情報が入力され、圧縮機１４０や膨張弁（図示せず）などの冷凍サイクル部品を制御する制御部、送風機１３０を制御するためのインバータ装置などが収納されている。
【００１４】
図３は、制御品箱１６０の主要構成を示す図である。制御品箱１６０には、制御部１６１と、記憶部１６２と、通信部１６３と、が設けられている。制御部１６１は、各種制御を行う。記憶部１６２は、各種プログラムや各種情報を記憶している。制御部１６１は、記憶部１６２に記憶されているプログラムを実行することにより、各種処理を行う。通信部１６３は有線又は無線により外部機器と通信を行う。制御部１６１は、圧縮機１４０、熱交換器１２０、膨張弁などを有する冷凍サイクル１７０の制御等を行う。制御部１６１はさらに、ファン１３１の異常を検出する。制御部１６１は、異常を検出すると、異常が検出された旨の通知情報をリモコン１８０に設けられた表示部１８１に表示するよう制御する。
【００１５】
図４は、制御部１６１による、ファン制御処理を示すフローチャートである。異常検出処理は、ファン１３１の異常を検出する処理である。ファン１３１の異常としては、例えば、ファン１３１への雪や氷の付着等が挙げられる。Ｓ１００において、制御部１６１は、空調運転の開始指示（運転開始指示）を取得したか否かを判定する。制御部１６１は、運転開始指示を取得した場合には（Ｓ１００でＹＥＳ）、処理をＳ１１０へ進める。制御部１６１は、運転開始指示を取得していない場合には（Ｓ１００でＮＯ）、処理をＳ１０１へ進める。
【００１６】
Ｓ１０１において、制御部１６１は、ファン１３１の回転に応じてモータ１３３が発電しているか否かを判定する。モータ１３３がファン１３１を回転するよう制御していない状態においても、風が吹いた場合には、ファン１３１は回転する。ファン１３１が回転すると発電する。すなわち発電していることから、風が吹いていることがわかる。制御部１６１は、発電している場合には（Ｓ１０１でＹＥＳ）、処理をＳ１０２へ進める。制御部１６１は、発電していない場合には（Ｓ１０１でＮＯ）、処理をＳ１００へ進める。
【００１７】
Ｓ１０２において、制御部１６１は、外気温センサ２１０から外気温を取得する。ここで、外気温は、外気情報の一例であり、本処理は、外気情報の取得処理の一例である。そして、制御部１６１は、外気温と予め設定された第１温度閾値とを比較する。第１閾値は予め設定された値である。Ｓ１０１及びＳ１０２の処理は、台風が発生していることを検出する処理であることから、第１温度閾値は、台風が発生する季節における温度、またはこれよりも低い温度とする。制御部１６１は、外気温が第１温度閾値よりも高い場合には（Ｓ１０２でＹＥＳ）、処理をＳ１０３へ進める。制御部１６１は、外気温が第１温度閾値以下の場合には（Ｓ１０２でＮＯ）、処理をＳ１００へ進める。Ｓ１０３において、制御部１６１は、ファン１３１の回転によるモータ１３３の発電により、モータ１３３を電磁ブレーキとして作用させることで、ファン１３１の回転が停止するよう制御する。ファン１３１の回転を停止もしくは回転数を抑制する理由は、以下の通りである。すなわち、ファン１３１は、設計強度上の回転数上限があり、異常な高回転数となった際に、ファン１３１に過大な応力が生じファン１３１自体が破損する恐れがある為である。なお、ファン１３１の設計許容応力は、尤度が考慮されているが、異常な強風の際の破損を未然防止する為である。
【００１８】
以上の処理により、モータ１３３による制御が行われていない状態で、台風等による強風によってファン１３１が高速に回転し、ファン１３１が破損するのを防ぐことができる。
【００１９】
次に、起動後の処理について、適宜図５を参照しつつ説明する。図５は、低回転制御における回転数（一定時間当たりの回転数、回転速度）のプロファイルの一例を示す図である。図５に示すグラフの横軸は時間、縦軸は回転数を示している。またグラフにおける破線は通常時のファン１３１の制御（通常回転制御）のプロファイルを示し、実線は低回転制御のプロファイルを示している。低回転制御については後述する。
【００２０】
制御部１６１は、室外機１０の起動後は、まず、Ｓ１１０において、外気温センサ２１０から温度、すなわち外気温を取得する。ここで、外気温は、外気情報の一例であり、本処理は、外気情報の取得処理の一例である。そして、制御部１６１は、外気温と、予め設定された第２温度閾値とを比較する。ここで、第２温度閾値は、例えば、マイナス５℃等、ファン１３１に氷や霜が付着し得る温度とする。制御部１６１は、外気温が第２温度閾値よりも低い場合には（Ｓ１１０でＹＥＳ）、処理をＳ１１１へ進める。制御部１６１は、外気温が第２温度閾値以上の場合には（Ｓ１１０でＮＯＴ）、処理をＳ１３０へ進める。
【００２１】
Ｓ１３０において、制御部１６１は、ファン１３１の通常回転制御を行う。通常回転制御は、図５に実線で示すプロファイルに従った制御である。通常回転制御は、回転数Ｒ２まで徐々に回転数を増加させる制御である。ここで、回転数Ｒ２は、空調運転の設定値から定まる制御値である。起動ステージにおいて回転数Ｒ２に達すると、安定ステージへと移行する。
【００２２】
Ｓ１１１において、制御部１６１は、梁材１３４に掛かる荷重が、予め定められた荷重閾値よりも大きい否かを判定する。具体的には、制御部１６１は、磁場センサ２０２の検出結果を取得し、検出結果が予め定められた電圧閾値以上の場合に、荷重が荷重閾値よりも大きいと判定する。本処理のタイミングにおいては、ファン１３１は停止しており、磁場センサ２０２の検出結果は、梁材１３４に掛かる荷重に依存する。ファン１３１に氷や霜が付着している場合にはファン１３１の重さは正常な状態におけるファン１３１の重さよりも重くなるため、梁材１３４はより大きく撓むことになり、磁場センサ２０２はより大きな電圧を検出する。制御部１６１は、閾値以上の電圧を検出した場合に、荷重が閾値よりも大きいと判定する。このように、制御部は、応力検出部として機能する。制御部１６１は、荷重が荷重閾値よりも大きい場合には（Ｓ１１１でＹＥＳ）、処理をＳ１１２へ進める。制御部１６１は、荷重が荷重閾値以下の場合には（Ｓ１１１でＮＯ）、処理をＳ１３０へ進める。
【００２３】
Ｓ１１２において、制御部１６１は、ファン１３１の低回転制御を行う。図５に示すように、制御部１６１は、低回転数制御においては、低回転制御における最大回転数（図５においては、Ｒ２）までの範囲において、回転数を徐々に増加させる。ここで、最大回転数（Ｒ２）は、通常時の制御における起動時の最大回転数（図５においては、Ｒ１）に比べて小さい値であり、予め設定されているものとする。最大回転数Ｒ２は、例えば、１００ｒｐｍ未満の値とするのが好ましい。また、低回転数制御における最大回転数及び回転数変化のプロファイルは予め設定されているものとする。
【００２４】
なお、図５の例においては、低回転制御における最大回転数までの加速度は、通常回転制御における回転数の加速度と等しくなるような制御としたが、加速度を通常回転制御における加速度に比べて小さくしてもよい。
【００２５】
制御部１６１は、低回転制御を開始してから所定の時間が経過すると、Ｓ１１３において、ファン１３１に異常が生じているか否かを判定する。このように、制御部１６１は、異常検出部として機能する。本実施形態の制御部１６１は、梁材１３４の撓みの程度、すなわち応力に応じてファン１３１の異常を検出する。以下、異常を検出する処理について説明する。ファン１３１の回転中は、梁材１３４には、ファン１３１の回転数に応じた応力が掛かる。一方で、ファン１３１に異常が生じている場合には、重心がずれることにより、振動が生じることに起因し、正常な状態に比べて大きな応力が掛かる。さらに、正常な状態においては、応力は回転数が大きくなるほど大きくなる。
【００２６】
そこで、本実施形態の室外機１０は、回転数と、基準電圧の関係式を記憶部１６２に予め格納しておく。なお、他の例としては、回転数と基準電圧の対応テーブルが格納されていてもよい。そして、制御部１６１は、基準電圧と、磁場センサ２０２により検出された電圧との比較結果から異常の有無を検出する。具体的には、制御部１６１は、回転数から基準電圧を求め、基準電圧と、実際に磁場センサ２０２により検知された電圧とを比較する。そして、制御部１６１は、検知された電圧が基準電圧よりも大きい場合には、異常が生じていると判定する。一方で、制御部１６１は、検知された電圧が基準電圧以下の場合には、異常は生じていないと判定する。
【００２７】
図４に戻り、制御部１６１は、異常が生じている場合には（Ｓ１１３でＹＥＳ）、処理をＳ１１４へ進める。制御部１６１は、異常が生じていない場合には（Ｓ１１３でＮＯ）、処理をＳ１３０へ進める。
【００２８】
図５に示すように、例えば、ｔ１のタイミングにおいて、Ｓ１１３において、異常なしと判定されたとする。この場合には、Ｓ１３０において通常回転制御が行われる。すなわち、ファン１３１の回転制御は、低回転制御から通常回転制御に遷移する。これにより、図５に示すように、低回転制御における最高回転数よりも高い回転数まで増加させるような制御が行われる。
【００２９】
例えば室外機１０の停止中に氷や霜がファン１３１に付着している場合がある。このような状態で、ファン１３１を回転させると、振動が生じ、熱交換器１２０の破損等に至る場合がある。これに対し、本実施形態の制御部１６１は、Ｓ１１１及びＳ１１２の処理により、ファン１３１に異常が生じている可能性があるか否かを判定し、異常が生じている可能性がある場合には、運転開始時に、通常回転制御に比べて低い回転数での制御である低回転制御を行う。これにより、熱交換器１２０の破損等の被害が生じるのを防ぐことができる。さらに、制御部１６１は、低回転制御中に異常の検出を行うので、異常が生じていた場合には、適切な措置をとることができる。また、制御部１６１は、異常が検出されなかった場合には、通常回転制御に遷移させることで、速やかに、空調運転の設定値に応じた空調運転を開始することができる。
【００３０】
図４に戻り、Ｓ１１４においては、制御部１６１は、ファン１３１の回転を停止させ、再起動し、再び低回転制御を行う。比較的少量の霜や氷であれば、ファン１３１の回転が停止する際に、ファン１３１から振り落とすことができる。
【００３１】
そして、制御部１６１は、再起動から所定の時間が経過すると、Ｓ１１５において、ファン１３１の異常の有無を判定する。制御部１６１は、異常が生じている場合には（Ｓ１１４でＹＥＳ）、処理をＳ１１６へ進める。制御部１６１は、異常が生じていない場合には（Ｓ１１４でＮＯ）、処理をＳ１３０へ進める。
【００３２】
Ｓ１１６において、制御部１６１は、ファン１３１についた氷や霜を溶かすデフロスト処理を行う。具体的には、制御部１６１は、熱交換器１２０を凝縮器として動作させることで、ファン１３１に暖かい空気を送り、霜や氷を溶かす。本処理においては、ファン１３１に比較的多量の霜や氷が付着している場合においても、これらを除去することができる。すなわち、ファン起動リトライ処理（Ｓ１１４）において落としきれなかった霜や氷を除去することができる。制御部１６１は、デフロスト処理を開始してから所定の時間が経過すると、Ｓ１１７において、再度ファン１３１の異常の有無を判定する。制御部１６１は、異常が生じている場合には（Ｓ１１７でＹＥＳ）、処理をＳ１１８へ進める。制御部１６１は、異常が生じていない場合には（Ｓ１１７でＮＯ）、処理をＳ１３０へ進める。なお、Ｓ１１５及びＳ１１７における異常検出の処理は、Ｓ１１３における異常検出の処理と同様である。
【００３３】
Ｓ１１８において、制御部１６１は、空調運転を停止する。すなわち、制御部１６１は、ファン１３１の回転を停止する。次に、Ｓ１１９において、制御部１６１は、異常が生じた旨を表示部１８１に表示する。さらに、Ｓ１２０において、制御部１６１は、異常が生じた旨を履歴として記憶部１６２に記録する。以上で、ファン制御処理が終了する。
【００３４】
以上のように、本実施形態に係る空気調和システム１においては、空調運転の開始時に、ファン１３１の低回転制御を行う。これにより、ファン１３１に異常が生じていた場合であっても、ファン１３１が回転することにより周囲の部品が破損するといった被害の拡大を防止することができる。これにより、より信頼性の高い冷凍サイクルシステムを提供することができる。
【００３５】
本実施形態の第１の変形例について説明する。制御部１６１は、異常が生じている可能性があるような外気条件を満たす場合に低回転制御を行えばよく、低回転制御を行うための条件は実施形態に限定されるものではない。例えば、制御部１６１は、Ｓ１１１の処理を省略し、外気温が閾値未満の場合には、梁材１３４の荷重に関わらず、低回転制御を行うこととしてもよい。また、他の例としては、制御部１６１は、梁材１３４の荷重が正常な状態における荷重よりも重い場合に低回転制御を行うものとしてもよい。すなわち、制御部１６１は、Ｓ１１０の処理を省略し、梁材１３４に掛かる荷重が荷重閾値よりも重い場合に、低回転制御を行うこととしてもよい。
【００３６】
第２の変形例について説明する。Ｓ１１０においては、外気が、ファン１３１に霜や氷が付着し得るような外気の状況であるか否かを判定できればよく、そのための具体的な処理は実施形態に限定されるものではない。例えば、制御部１６１は、通信部１６３を介して外部装置から天気予報などの気象情報を取得する。さらに、記憶部１６２には、天気が雪である、温度が氷点下である、など、外気が、ファン１３１に霜や氷が付着し得るような状況に対応した気象情報の条件が予め格納されているものとする。そして、制御部１６１は、外部装置から取得した気象情報が、記憶部１６２に格納されている条件を満たす場合に、処理をＳ１１１へ進めることとしてもよい。このように、制御部１６１は、冷凍サイクルシステムの室外機の周囲の外気温及び気象情報のうち少なくとも一方の情報を外気情報として取得し、外気情報に基づいて、送風機１３０のファン１３１の回転数を制御すればよい。
【００３７】
同様に、Ｓ１０２においては、外気の状況が、台風が発生し得る状況であるかを判定できればよく、そのための具体的な処理は実施形態に限定されるものではない。例えば、制御部１６１は、気象情報から台風が発生しているか否かを判定し、台風が発生している場合に電磁ブレーキを作動させてもよい。
【００３８】
第３の変形例としては、制御部１６１は、異常が生じている可能性があるような応力の条件（応力条件）を満たす場合に、低回転制御を行えばよく、低回転制御を行うための応力条件は実施形態に限定されるものではない。例えば、制御部１６１は、応力が応力閾値よりも小さい場合に、低回転制御を行うこととしてもよい。これにより、ファン１３１の一部の欠損のような異常が生じている場合に低回転制御を行うことができる。
【００３９】
第４の変形例としては、低回転制御において異常が検出された場合の処理は実施形態に限定されるものではない。他の例としては、制御部１６１は、Ｓ１１３において異常が検出された場合には、ファン起動リトライ処理（Ｓ１１４）や、デフロスト処理（Ｓ１１６）を行うことなく、ファン１３１を停止することとしてもよい。
【００４０】
第４の変形例について説明する。制御部１６１は、ファン１３１の振動により異常を検出すればよく、異常を検出するための具体的な処理は実施形態に限定されるものではない。例えば、ファン１３１の加速度を検出する加速度センサ（不図示）を設け、制御部１６１は、加速度センサによるファン１３１の加速度の検出結果から異常判定を行ってもよい。
【００４１】
また、他の例としては、室外機１０は、ファン１３１の軸の所定の位置に磁性部材を設け、磁性部材よりも軸から遠い位置に磁場センサを設置する。そして、制御部１６１は、ファン１３１の回転中における磁性部材に対する磁場センサの検出結果から異常判定を行ってもよい。ファン１３１が正常に回転している場合には、ファン１３１は一定速度で回転するため、磁性部材と磁場センサの距離変化の周期は一定となる。しかしながら、ファン１３１の欠損などが生じた場合には、ファン１３１の重心位置がずれ、振動が生じる。これにより、検出周期が乱れ、磁場センサの検出周期は、一定値からずれた値となる。制御部１６１は、ファン１３１の軸に設けられた磁性部材に対応して、磁場センサにより得られる検出周期からファン１３１の振動、すなわちファン１３１の異常の有無を判定することができる。
【００４２】
また、他の例としては、室外機１０は、異常検出のための構成として、磁性部材２０１と磁場センサ２０２に替えて、ひずみゲージを備えてもよい。ひずみゲージは、梁材１３４に設けられる。ひずみゲージは、梁材１３４の端部１３４ａに配置されるのが好ましい。この場合、制御部１６１は、ひずみゲージにより検出されたひずみを取得し、ひずみに応じた応力を用いて、異常検出処理を行えばよい。
【００４３】
第５の変形例としては、本実施形態においては、送風機のファンを備えた冷凍サイクルシステムの一例として空気調和システムについて説明したが、冷凍システムであってもよい。
【００４４】
第６の変形例としては、図４を参照しつつ説明した異常検出処理の主体は、室外機１０の制御部１６１に限定されるものではない。他の例としては、不図示の室内機の制御部が異常検出処理を実行してもよい。また、複数の室外機や複数の空気調和装置を管理する集中管理装置により室外機１０が管理されている場合には、集中管理装置が異常検出処理を実行する空気調和システムとして構成されてもよい。
【００４５】
（第２の実施形態）
次に、第２の実施形態に係る空気調和システムについて説明する。図６は、第２の実施形態に係る空気調和システム２の全体構成図である。空気調和システム２は、複数の室外機１１、１２、１３と、複数の室内機２１、２２、２３を備えている。さらに、空気調和システム２は、これらの機器を管理する集中管理装置３０を備えている。
【００４６】
集中管理装置３０は、制御部３０１と、記憶部３０２と、通信部３０３と、を備えている。制御部３０１、記憶部３０２及び通信部３０３は、それぞれ制御品箱１６０の制御部１６１、記憶部１６２及び通信部１６３と同様である。制御部３０１は、室外機１１〜１３と、室内機２１〜２３と、を制御する。さらに、制御部３０１は、各室外機１１〜１３について、第１の実施形態において説明したファン制御処理を行う。そして、Ｓ１１７において異常が検出された場合には、異常が検出された室外機のファン１３１の回転を停止し、他の室外機により、空調運転を継続する。これにより、空気調和システム２は、異常が生じた室外機の運転を停止しつつ、異常が生じていない室外機により、空調運転を安全に開始することができる。
【００４７】
なお、本発明は係る特定の実施形態に限定されるものではなく、例えばある実施形態の変形例を他の実施形態に適用するなど、特許請求の範囲に記載された本発明の要旨の範囲内において、種々の変形・変更が可能である。
【符号の説明】
【００４８】
１、２  空気調和システム
１０、１１、１２、１３  室外機
２１、２２、２３  室内機
１３１  ファン
１３１ａ  端部
１３３  モータ
１３４  梁材
１６１、３０１  制御部
２０１  磁性部材
２０２  磁場センサ
２１０  温度センサ
【図１】
0006956150.tif 000002
【図２】
0006956150.tif 000003
【図３】
0006956150.tif 000004
【図４】
0006956150.tif 000005
【図５】
0006956150.tif 000006
【図６】
0006956150.tif 000007